(57)【要約】【課題】収納ケースを開放して制御素子をすり替える不正を効果的に防止することが可能な制御装置を提供する。【解決手段】制御装置１ａは、ＬＳＩ２５等の各種の制御素子を搭載した基板２を、上ケース３と下ケース４とからなる分割式の収納ケースによって覆っている。また、無線による呼出波を受信すると記憶している固有の識別情報を含む反射波を無線により出力するＩＣタグ２６ａが、下ケース４に取り付けられており、ＩＣタグ２６ａに対して呼出波を送信しＩＣタグ２６ａからの反射波を受信するシート状のアンテナ３２が、ＩＣタグ２６ａを覆った状態で上ケース３と下ケース４に跨がって貼着されている。そして、シート状のアンテナ３２を剥離すると、アンテナ３２の送受信回路３５が切断するようになっている。【選択図】図３
2004174112.tif 000002
【特許請求の範囲】
【請求項１】
所定の動作を行う機器の動作内容を制御するための制御素子が、分割式の収納ケースに収納された制御装置であって、
無線による所定の呼出波を受信すると記憶している固有の識別情報を含む反射波を無線により出力するＩＣタグが、前記分割式の収納ケースの少なくとも一つに取り付けられているとともに、
そのＩＣタグに対して呼出波を送信しＩＣタグからの反射波を受信するシート状のアンテナが、前記分割式の収納ケースのすべてのパーツに跨がり前記ＩＣタグを覆った状態で貼着されており、剥離すると自己破壊を起こすことを特徴とする制御装置。
【請求項２】
所定の動作を行う機器の動作内容を制御するための制御素子が、分割式の収納ケースに収納された制御装置であって、
無線による所定の呼出波を受信すると記憶している固有の識別情報を含む反射波を無線により出力するシート状のＩＣタグが、前記分割式の収納ケースのすべてのパーツに跨がるように貼着されており、
そのＩＣタグに対して呼出波を送信しＩＣタグからの反射波を受信するアンテナが、前記分割式の収納ケースの少なくとも一つに取り付けられているとともに、
前記シート状のＩＣタグが、そのアンテナを覆っており、剥離すると自己破壊を起こすことを特徴とする制御装置。
【請求項３】
シート状のアンテナあるいはシート状のＩＣタグが、合成樹脂製のベースシート上に送受信回路をプリントしたものであり、収納ケースから剥離すると、送受信回路を切断させることを特徴とする請求項１、または請求項２のいずれかに記載の制御装置。
【請求項４】
請求項１〜３のいずれかに記載の制御装置を備えたことを特徴とする遊技機。
【発明の詳細な説明】
【０００１】
【発明の属する技術分野】
本発明は、パチンコ機、スロットマシーン等の遊技機をはじめとする各種の機器に用いる制御装置に関するものであり、詳しくは、不正行為を効果的に防止することが可能な遊技機用の制御装置に関するものである。
【０００２】
【従来の技術】
パチンコ機用の制御装置として、動作内容を制御するＬＳＩやＲＯＭ等の制御素子を分割式の収納ケースで覆ったものが知られている。かかる制御装置においては、収納ケースを開放しＬＳＩやＲＯＭ等の制御素子を偽造されたものにすり替える不正行為が行われることがある。それゆえ、そのような不正行為を防止可能な制御装置として、パチンコ機用の制御装置の中には、切断可能な複数のネジ保持部を左右両端縁に設けた上カバーと、その上カバーと合致する下カバーとによって、制御素子を設置した基板を覆うとともに、左右のネジ保持部の内の一つずつを、ワンウェイタイプのネジを用いて、ドライバ等では外れないように下カバーに螺着することにより、ネジ保持部を切断しなければ上カバーを取り外すことができないようにして、上カバーの取り外しの痕跡が残るように構成したものが知られている（たとえば、特許文献１参照）。また、パチンコ機用の制御装置の中には、固有の識別情報を記憶したＩＣタグを収納ケースの表面に貼着するとともに、監視手段であるＩＤ読取装置をＩＣタグの近傍に設置し、そのＩＤ読取装置によってＩＣタグの識別情報を一定の周期毎に読み取る（確認する）ようにしたものが考案されている（たとえば、特許文献２参照）。
【０００３】
【特許文献１】
特開平１０−３２８３８３
【特許文献２】
特開２０００−２８８２１８
【０００４】
【発明が解決しようとする課題】
しかしながら、切断可能なネジ保持部を設けた制御装置は、ワンウェイタイプのネジのヘッドに電気ドリル等で孔をあけられると、それらの孔を利用してネジを回転させることが可能となってしまうため、ネジ保持部を切断することなく上カバーを取り外すことができてしまう。このため、制御素子の不正取り替え、不正改造を効果的に防止することができなかった。また、ＩＣタグを収納ケースの表面に貼着するとともにＩＤ読取装置をＩＣタグの近傍に設置した制御装置は、ただ単に収納ケースにＩＣタグが取り付けられているに過ぎず、ＩＤ読取装置を自由に移動させることができるため、そのＩＤ読取装置との相対位置を変化させることなくＩＣタグが取り外された場合には、ＩＤ読取装置がＩＣタグの識別情報を読み取り続けることができるため、収納ケースが開放されて、ＬＳＩやＲＯＭ等の制御素子がすり替えられてしまう虞れがある。
【０００５】
本発明の目的は、上記従来の制御装置が有する問題点を解消し、収納ケースを開放して制御素子をすり替える不正を効果的に防止することが可能な制御装置を提供することにある。
【０００６】
【課題を解決するための手段】
本発明のうち、請求項１に記載された発明の構成は、遊技機の遊技内容を制御するための制御素子が、分割式の収納ケースに収納された遊技機用制御装置であって、無線による所定の呼出波を受信すると記憶している固有の識別情報を含む反射波を無線により出力するＩＣタグが、前記分割式の収納ケースの少なくとも一つに取り付けられているとともに、そのＩＣタグに対して呼出波を送信しＩＣタグからの反射波を受信するシート状のアンテナが、前記分割式の収納ケースのすべてのパーツに跨がり前記ＩＣタグを覆った状態で貼着されており、剥離すると自己破壊を起こすことにある。なお、自己破壊とは、剥離することによりＩＣタグやアンテナが信号の送受信をする機能を果たし得なくなることをいう。
【０００７】
請求項２に記載された発明の構成は、遊技機の遊技内容を制御するための制御素子が、分割式の収納ケースに収納された遊技機用制御装置であって、無線による所定の呼出波を受信すると記憶している固有の識別情報を含む反射波を無線により所定範囲内に出力するシート状のＩＣタグが、前記分割式の収納ケースのすべてのパーツに跨がるように貼着されており、そのＩＣタグに対して呼出波を送信しＩＣタグからの反射波を受信するアンテナが、前記分割式の収納ケースの少なくとも一つに取り付けられているとともに、前記シート状のＩＣタグが、そのアンテナを覆っており、剥離すると自己破壊を起こすことにある。
【０００８】
請求項３に記載された発明の構成は、請求項１，または請求項２に記載された発明において、シート状のアンテナあるいはシート状のＩＣタグが、合成樹脂製のベースシート上に送受信回路をプリントしたものであり、収納ケースから剥離すると、送受信回路を切断させることにある。
【０００９】
請求項４に記載された発明の構成は、請求項１〜３のいずれかに記載の制御装置を備えた遊技機にある。
【００１０】
【発明の実施の形態】
以下、本発明の遊技機用制御装置について、図面に基づいて詳細に説明する。
【００１１】
１．実施例１の制御装置の構造
図１〜図３は、それぞれ、実施例１の制御装置の正面図、左側面図、分解斜視図であり、制御装置１ａは、各種の制御素子を搭載した基板２を覆うための分割式の収納ケースＣ、無線による所定の呼出波を受信すると記憶している固有の識別情報を含む反射波を無線により出力するＩＣタグ２６ａ、ＩＣタグ２６ａに対して呼出波を送信しＩＣタグ２６ａからの反射波を受信するシート状のアンテナ３２等によって構成されている。また、分割式の収納ケースＣは、第１ケースである透明な合成樹脂製の上ケース３と、第２ケースである透明な合成樹脂製の下ケース４とによって構成されている。
【００１２】
上ケース３は、透明な合成樹脂（アクリル樹脂）によって開口した箱状に形成されており、長方形状のフロントパネル５の周囲が、略直角に後方に折り返された状態になっている。フロントパネル５の右側の折返し部６の後端縁際には、３個の縦長な係止孔７，７・・が等間隔で穿設されている。また、フロントパネル５の左側の折返し部８には、２個の係合翼９ａ，９ｂが設けられている。さらに、上側の係合翼９ａの上端、および、下側の係合翼９ｂの下端には、それぞれ、係合孔１２が穿設されている。また、フロントパネル５の上端際には、コネクタ挿通窓１４が設けられている。
【００１３】
また、下ケース４は、透明な合成樹脂（アクリル樹脂）によって扁平な直方体状に形成されている。そして、長方形状の基板支持板１６の表面に、補強用のリブ１７，１７・・が格子状に立設されており、基板支持板１６の周囲が略直角に後方に折り返された状態になっている。また、下ケース４の右端縁際には、中空状の音基板カバー１９が前方に突出するように設けられており、その音基板カバー１９の内側面には、嵌合突起２０，２０・・が突設されている。さらに、左側の折返し部２１には、２個の支持翼２２ａ，２２ｂが連設されている。加えて、上側の支持翼２２ａの上端、および、下側の支持翼２２ｂの下端には、それぞれ、先端を矢尻状に形成した係合体２４，２４が突設されている。
【００１４】
一方、基板２は、縦長な長方形に形成されており、中央部分の表面に、パチンコ機１の動作内容を制御するためのＬＳＩ２５等の各種の制御素子が搭載されている。なお、ＬＳＩ２５は、各種の演算処理を行うＣＰＵ、データやプログラム等を一時的に記憶するＲＡＭ、各種のデータや制御プログラム等を記憶したＲＯＭ等を一体にモールディングしたものである。また、基板２の上端際には、各種のコネクタ１３，１３・・が設置されている。かかる基板２は、リブ１７，１７・・に支えられた状態で、下ケース４に螺着されている。
【００１５】
制御装置１ａは、下ケース４に螺着された基板２上のコネクタ１３，１３・・を、上ケース３のコネクタ挿通窓１４に挿通させ、下ケース４の右側の音基板カバー１９の内側面に突設された嵌合突起２０，２０・・を、上ケース３の右側の折返し部６に穿設された係止孔７，７・・に嵌合させた状態で、下ケース４の左側の各支持翼２２ａ，２２ｂに突設された各係合体２４，２４を、上ケース３の左側の各係合翼９ａ，９ｂに穿設された各係合孔１２，１２に係止させることによって、下ケース４と上ケース３とが一体になっており、下ケース４と上ケース３とで基板２を覆った状態になっている。
【００１６】
２．実施例１の制御装置の特徴部分の説明
下ケース４の左端縁の支持翼２２ａの外側には、扁平な長方形状のＩＣタグ２６ａが接着剤によって強固に接着されている。図４は、ＩＣタグ２６ａの外観を示したものであり、図５は、ＩＣタグ２６ａの制御機構を示したものである。ＩＣタグ２６ａは、ベースシートである合成樹脂（ポリエステル）製のフレキシブルプリント基板２７上に、ＩＣチップ３０と送受信回路３１とを搭載したものである。ＩＣチップ３０は、所定波長の呼出波に応答して反射波を放出するＲＦ回路２８と、不揮発性の記憶手段であるＥＥＰＲＯＭ２９とを一体にしたものであり、ＥＥＰＲＯＭ２９と送受信回路３１とが、ＲＦ回路２８に接続された状態になっている。そして、ＥＥＰＲＯＭ２９の上書消去禁止区域には、ＩＣタグ２６ａを他のＩＣタグと識別するためのＩＤコード等の識別情報が記憶されている。かかるＩＣタグ２６ａは、アンテナとの間で、所定の周波数（たとえば、１３．５６ＭＨｚ）を利用して、ノイズの影響が比較的に少ないＲＦ送受信を行うことができ、呼出波を受信すると、予め登録された識別情報を含む反射波を、所定の通信範囲（約１ｍｍ）内に出力（返信）する。なお、反射波の返信は、ＥＥＰＲＯＭ２９からＩＤコード等の識別情報を読み出し、その識別情報を反射波に乗せてＲＦ回路２８から送信することによって行われる。また、ＩＣタグ２６ａは、所定波長の呼出波が送信されると、その呼出波を送受信回路３１が受信し、呼出波に含まれた搬送波成分をＲＦ回路２８で整流することによって直流電圧を得ることができる。したがって、ＩＣタグ２６ａは、外部からの電源供給を受けることなく必要な時にいつでも反射波を返信することができる。また、呼出波に乗せて送信されたデータをＥＥＰＲＯＭ２９に記憶しておくこともできる。
【００１７】
さらに、上ケース３と下ケース４とに跨るように、シール状のアンテナ３２が、接着剤によって強固に接着されており、下ケース４の支持翼２２ａの外側に接着されたＩＣタグ２６ａを覆った状態になっている。図６は、アンテナ３２の正面を示したものであり、図７は、上ケース３および下ケース４に貼着したシール状のアンテナ３２の断面（図６におけるＡ−Ａ線断面）の様子を示したものである。アンテナ３２は、ベースシートである合成樹脂（ポリエステル）製のフレキシブルプリント基板３４の表面に、アンカーコート層（エステル樹脂系の接着剤層）６８ａ，６８ａ・・が横縞状に塗布されており、そのアンカーコート層６８ａ，６８ａ・・の上に、粘着剤層（アクリル樹脂系の粘着剤層）６９ａが積層されている。そして、その粘着剤層６９ａ中に送受信回路３５が渦巻き状に形成されている（粘着剤層を設け、送受信回路３５を塗布した後に、再度、粘着剤層を積層することによって形成されている）。また、粘着剤層６９ａは、フレキシブルプリント基板３４よりも上ケース３、下ケース４の表面と強固に接着するとともに、上ケース３、下ケース４の表面よりもアンカーコート層６８ａ，６８ａ・・と強固に接着するように調整されている。さらに、上ケース３、下ケース４と粘着剤層６９ａとの接着強度よりもフレキシブルプリント基板３４とアンカーコート層６８ａ，６８ａ・・との接着強度が高くなるように調整されている。かかるシール状のアンテナ３２は、剥離すると、送受信回路３５の一部が粘着剤層６９ａとともに分離して接着面（上ケース３、下ケース４の表面）に残存し、送受信回路３５が切断され、ＩＣタグ２６ａとＲＦ送受信を行うアンテナとしての機能を果たさなくなる（すなわち、自己破壊する）。
【００１８】
３．実施例１の制御装置の使用態様
上記の如く構成された制御装置１ａは、パチンコ機等の遊技機に設置されて使用される。図８、図９は、制御装置１ａを設置したパチンコ機の一例を示したものであり、パチンコ機３６は、中央よりやや上側に遊技盤３９が設けられており、その遊技盤３９の表面には、ガイドレールで囲まれた略円形の遊技領域４１が設けられている。また、遊技盤３９の下側には、内蔵された発射装置に遊技球を供給するための供給皿４２が設けられており、その供給皿４２の下側には、供給皿４２から溢れた遊技球を貯留するための貯留皿４３が設けられている。さらに、供給皿４２と貯留皿４３との間には、効果音を発生させるスピーカ４４が設けられており、貯留皿４３の右側には、発射装置を操作するための発射ハンドル４５が設けられている。また、遊技領域４１の略中央には、図柄表示装置４６が設けられており、液晶画面４７に、種々の動画やメッセージ等を表示することができるようになっている。また、図柄表示装置４６の下側には、図柄始動口４８が設けられており、その図柄始動口４８の下方には、扉部材を開閉するアタッカ部材４９が設けられている。
【００１９】
一方、パチンコ機３６の裏面の左下方に、制御装置１ａが設けられており、その制御装置１ａの上側のセンターカバー５０の内部には、制御装置１ａの状態を監視するための監視手段であるリーダ／ライタユニット（Ｒ／Ｗユニット）３８が設置されている。図１０は、Ｒ／Ｗユニット３８の制御機構を示したものであり、Ｒ／Ｗユニット３８は、ＣＰＵ５１、ＲＡＭ６３、ＲＯＭ６４、ＥＥＰＲＯＭ５２、タイマ５３、ＩＣタグ２６ａとの間でＲＦ送受信を行うためのＲＦ回路５８等を有している。また、ＣＰＵ５１が、インターフェイス５９を介して、ＬＡＮカード６０、入力ポート６１、表示器６２等と接続されている。なお、Ｒ／Ｗユニット３８は、パチンコ機３６が設置される島設備から電源供給を受けるようになっている。また、収納ケースＣに貼着されたアンテナ３２が、同軸ケーブル３７によってＲ／Ｗユニット３８のＲＦ回路５８に接続されている。
【００２０】
さらに、図９に示すように、Ｒ／Ｗユニット３８の上側には、図柄表示装置４６の表示内容を制御するための図柄変動制御装置５４が設置されており、Ｒ／Ｗユニット３８の右側には、スピーカ４４から発生させる効果音の内容を制御するための効果音制御装置５６が設置されている。加えて、センターカバー５０の右側には、遊技球払出装置５７が設置されている。
【００２１】
また、図１１は、パチンコ機３６の制御機構を示したものであり、制御装置１ａは、基板２に搭載されたＬＳＩ２５が、図柄変動制御装置５４、効果音制御装置５６と接続されている。さらに、ＬＳＩ２５が、インターフェイス６７を介して、各種の入賞装置への入賞を検出する入賞検出装置６６、アタッカ部材４９を作動させるための作動装置６５、遊技球払出装置５７等と接続されている。
【００２２】
４．実施例１の制御装置を設置したパチンコ機の動作内容
パチンコ機３６は、制御装置１ａのＬＳＩ２５に記憶されたプログラムにしたがい、図柄変動制御装置５４、効果音制御装置５６、遊技球払出装置５７等と信号の送受信を行うことによって、主たる遊技動作を実行する。そして、発射ハンドル４５の回転操作によって遊技領域４１に打ち出された遊技球が図柄始動口４８に入賞すると、「抽選」を実行し、「大当たり」を生起させるか否かを決定する。また、「抽選」を実行すると略同時に、図柄表示装置４６に表示された図柄を変動させ（他の図柄と順々に入れ替わる動画を表示し）、所定時間後に停止させて新たな図柄を表示する。さらに、「抽選」において「大当たり」が生起した場合には、図柄の変動後に、予め設定された「大当たり図柄」を表示し、しかる後に、「大当たり状態」を生起させる。「大当たり状態」においては、アタッカ部材４９の扉部材を所定回数だけ断続的に開成させるとともに、各種の発光部材を所定の態様で発光させ、スピーカ４４から所定の効果音を発生させる。一方、各種の入賞装置に遊技球が入賞した場合には、遊技球払出装置５７が、所定数の遊技球を賞品球として供給皿４２に払い出す。
【００２３】
また、パチンコ機３６は、制御装置１ａの状態を監視するために、Ｒ／Ｗユニット３８のＲＦ回路５８が、制御装置１ａのアンテナ３２を介して、制御装置１ａのＩＣタグ２６ａに対して、所定の周波数（１３．５６ＭＨｚ）の呼出波を、定期的に送信（ＲＦ送信）する。ＩＣタグ２６ａは、呼出波を受けると、直ちに、ＥＥＰＲＯＭ２９内から識別コードを呼び出し、その識別コードを含めた反射波を送信（ＲＦ送信）する。ＩＣタグ２６ａが反射波を送信すると、アンテナ３２によって、その反射波を受信（ＲＦ受信）し、その反射波をＲ／Ｗユニット３８に送信する。Ｒ／Ｗユニット３８は、反射波に含まれる識別コードが登録されたものであると確認すると、再度、直ちに呼出波を送信することにより、監視動作を、短時間（約数十ｍｓ）の周期で繰り返し実行する。
【００２４】
一方、Ｒ／Ｗユニット３８は、呼出波を送信してから所定時間（たとえば、５０ｍｓ）内に反射波を受信しなかった場合に異常と判断し、異常を検知した旨をＥＥＰＲＯＭ５２に記憶し、ＬＡＮカード６０を介して、所定の異常検知信号を外部に出力するとともに、異常を検知した旨を表示器６２に表示する。
【００２５】
そして、アンテナ３２が上ケース３あるいは下ケース４から剥がされた場合には、図１２の如く、アンテナ３２の送受信回路３５が切断されるため、アンテナ３２は、ＩＣタグ２６ａに対して呼出波を送信できなくなる。このため、Ｒ／Ｗユニット３８は、アンテナ３２に呼出波を送信しても、ＩＣタグ２６ａから所定時間内に反射波を受信することができないため、異常を検知した旨をＥＥＰＲＯＭ５２に記憶し、所定の異常検知信号を外部の端末や警報器等に出力するとともに、異常を検知した旨を表示器６２に表示する。
【００２６】
５．実施例１の制御装置の効果
制御装置１ａは、上記の如く、ＩＣタグ２６ａが、分割式の収納ケースＣの下ケース４に取り付けられており、シート状のアンテナ３２が、分割式の収納ケースＣのすべてのパーツ（上ケース３および下ケース４）に跨がりＩＣタグ２６ａを覆った状態で貼着されているとともに、シート状のアンテナ３２が、剥離すると自己破壊を起こすため、収納ケースＣが不正に開放された場合には、ＩＣタグ２６ａとアンテナ３２とが送受信不能となり、不正に開放された事態を直ちに（リアルタイムで）検知することができる。したがって、ＬＳＩ２５等の制御素子の不正取り替え、不正改造等の不正行為を、効果的に防止することができる。
【００２７】
また、制御装置１ａは、シート状のアンテナ３２が、合成樹脂製のフレキシブルプリント基板３４上に送受信回路３５をプリントしたものであり、分割式の収納ケースＣから剥離すると、アンテナ３２の送受信回路３５を切断させるため、アンテナ３２が剥がされて収納ケースＣが不正に開放された場合には、ＩＣタグ２６ａとアンテナ３２との送受信を確実に阻止するので、不正行為の防止機能の信頼性が高い。
【００２８】
加えて、ＩＣタグ２６ａおよびアンテナ３２は、いずれもシート状になっており、接着剤や粘着剤層を利用して貼着するだけで、分割式の収納ケースに設置することができるので、すでに、パチンコホールに設置されている旧型の制御装置や、種々のメーカーによって製造された異なるタイプの制御装置へも適用することができる。
【００２９】
６．実施例２の制御装置の特徴部分の構造
実施例２の制御装置１ｂの構成は、実施例１の制御装置１ａの構成と略同様であるが、上ケース３と下ケース４に設置されるアンテナ、およびＩＣタグの構成が、実施例１の制御装置１ａと異なっている。図１３は、実施例２の制御装置１ｂを示したものであり、制御装置１ｂの収納ケースＣには、実施例１の制御装置１ａの収納ケースＣに貼着されたものと同じシート状のアンテナ３２が、上ケース３と下ケース４とに跨るように、接着剤によって強固に接着されている。また、そのシート状のアンテナ３２の上側には、シート状のアンテナ３２より一回り大きいシート状のＩＣタグ２６ｂが貼着されており、シート状のアンテナを覆った状態になっている。
【００３０】
図１４は、ＩＣタグ２６ｂの正面を示したものであり、図１５は、上ケース３および下ケース４に貼着したシール状のＩＣタグ２６ｂの断面（図１４におけるＢ−Ｂ線断面）の様子を示したものである。ＩＣタグ２６ｂは、同軸ケーブル３７を挿通させるための挿通孔７０を穿設した合成樹脂（ポリエステル）製のフレキシブルプリント基板２７の表面に、アンカーコート層（エステル樹脂系の接着剤層）６８ｂ，６８ｂ・・が横縞状に塗布されており、そのアンカーコート層６８ｂ，６８ｂ・・の上に、粘着剤層（アクリル樹脂系の粘着剤層）６９ｂが積層されている。そして、その粘着剤層６９ｂ中に送受信回路３１が形成されている。また、粘着剤層６９ｂは、フレキシブルプリント基板２７よりも上ケース３、下ケース４の表面と強固に接着するとともに、上ケース３、下ケース４の表面よりもアンカーコート層６８ｂ，６８ｂ・・と強固に接着するように調整されている。さらに、上ケース３、下ケース４と粘着剤層６９ｂとの接着強度よりもフレキシブルプリント基板２７とアンカーコート層６８ｂ，６８ｂ・・との接着強度が高くなるように調整されている。さらに、フレキシブルプリント基板２７に穿設された挿通孔７０の付近には、実施例１のＩＣタグ２６ａに設置されたものと同じＩＣチップ３０が設置されており、送受信回路３１に接続された状態になっている。かかるＩＣタグ２６ｂの機能は、実施例１のＩＣタグ２６ａと同じであり、アンテナ３２との間でＲＦ送受信を行い、呼出波を受信すると、識別情報を含む反射波を、所定の通信範囲内に出力する。また、ＩＣタグ２６ｂは、剥離すると、図１６の如く、送受信回路３１の一部が粘着剤層とともに分離して接着面（上ケース３、下ケース４の表面）に残存し、送受信回路３１が切断され、アンテナ３２とＲＦ送受信を行うアンテナとしての機能を果たさなくなる（すなわち、自己破壊する）。
【００３１】
７．実施例２の制御装置の動作内容
かかる制御装置１ｂも、実施例１の制御装置１ａと同様に、ＬＳＩ２５等の各制御素子が遊技機の各種の装置に接続され、アンテナ３２が同軸ケーブル３７によってＲ／Ｗユニット３８のＲＦ回路に接続された状態で、パチンコ機３６に設置される。そして、Ｒ／Ｗユニット３８のＲＦ回路５８が、定期的におよび任意のタイミングで呼出信号を送信すると、アンテナ３２からＩＣタグ２６ｂに対して呼出波が送信される。ＩＣタグ２６ｂは、呼出波を受けると直ちに識別コードを含んだ反射波を送信し、アンテナ３２は、反射波を受けると、その反射波をＲ／Ｗユニット３８に送信する。さらに、Ｒ／Ｗユニット３８は、呼出波を送信してから所定時間内に反射波を受信しなかった場合に異常と判断し、異常を検知した旨を記憶手段５２に記憶し、所定の異常検知信号を外部の端末や警報器等に出力するとともに、異常を検知した旨を表示器６２に表示する。
【００３２】
そして、ＩＣタグ２６ｂが上ケース３あるいは下ケース４から剥がされた場合には、図１６の如く、ＩＣタグ２６ｂの送受信回路３１が切断されるため、ＩＣタグ２６ｂは、アンテナ３２からの呼出波を受信できなくなる。このため、Ｒ／Ｗユニット３８は、呼出波を送信しても、所定時間内に反射波を受信することができないため、異常を検知した旨をＥＥＰＲＯＭ５２に記憶し、所定の異常検知信号を外部の端末や警報器等に出力するととに、異常を検知した旨を表示器６２に表示する。
【００３３】
８．実施例２の制御装置の効果
制御装置１ｂは、上記の如く、シート状のＩＣタグ２６ｂが、分割式の収納ケースＣのすべてのパーツ（上ケース３および下ケース４）に跨がるように貼着されているとともに、アンテナ３２を覆っており、剥離すると自己破壊を起こすため、収納ケースＣが不正に開放された場合には、ＩＣタグ２６ｂとアンテナ３２とによって、直ちに（リアルタイムで）その事態を検知することができる。したがって、ＬＳＩ２５等の制御素子の不正取り替え、不正改造等の不正行為を、効果的に防止することができる。
【００３４】
また、制御装置１ｂは、シート状のＩＣタグ２６ｂが、合成樹脂製のフレキシブルプリント基板２７上に送受信回路をプリントしたものであり、貼着された分割式の収納ケースＣから剥離すると、送受信回路３１を切断させるため、ＩＣタグ２６ｂが剥がされて収納ケースＣが不正に開放された場合には、ＩＣタグ２６ｂとアンテナ３２との送受信を確実に阻止するので、不正行為の防止機能の信頼性が高い。
【００３５】
加えて、ＩＣタグ２６ｂは、シート状になっており、粘着剤層を利用して貼着するだけで、分割式の収納ケースに設置することができるので、すでに、パチンコホールに設置されている旧型の制御装置や、種々のメーカーによって製造された異なるタイプの制御装置へも適用することができる。
【００３６】
９．本発明の変更例の説明
本発明の制御装置は、上記実施形態の態様に何ら限定されるものではなく、基板、収納ケース、ＩＣタグ、アンテナの材料、形状、構造等の構成を本発明の趣旨を逸脱しない範囲内で適宜変更することができる。
【００３７】
たとえば、収納ケースは、上ケースと下ケースとの２つの部材からなるもの（２分割式のもの）に限定されず、３つ以上の部材からなるものに変更することも可能である。なお、収納ケースを３つ以上の部材からなるものに変更する場合には、アンテナを覆うシート状のＩＣタグ、あるいはＩＣタグを覆うシート状のアンテナの少なくとも一方をすべての部材に跨るように貼着する必要がある。
【００３８】
また、分割式の収納ケースは、上記実施形態の如く、シンプルな係合機構のみを設けたものに限定されず、片方のケースの端縁に、ワンウェイタイプのネジを保持した切断可能な複数のネジ保持部を設ける（たとえば、小径の連結体を介して片方のケースの本体にネジ保持部が繋がった形状となるように、片方のケース、連結体、ネジ保持部を合成樹脂によって一体的に成形する）とともに、他方のケースの端縁に、ネジ保持部に保持されたネジを螺着させるネジ孔を形成したもの等に変更することも可能である。かかる構成を採用した場合には、収納ケースが不正に開放されると、収納ケースに不正に開放された痕跡が残り、目視によっても、その事態を速やかに把握することができる、というメリットがある。なお、収納ケースを、上記の如くネジ保持部を設けたものとする場合には、必要に応じて、上ケース（あるいは下ケース）に設けるネジ保持部の個数を、適宜変更することができる。また、ネジ保持部の設置位置は、収納ケースの左右に限定されず、収納ケースの上下に設置することも可能である。
【００３９】
また、制御装置は、１箇所にＩＣタグとアンテナとを設置したものに限定されず、２箇所以上にＩＣタグとアンテナとを設置したものでも良い。さらに、ＩＣタグあるいはアンテナを収納ケースの内側に取り付けて、それらのＩＣタグあるいはアンテナと送受信するアンテナあるいはＩＣタグのみを収納ケースの外側に取り付けることも可能である。加えて、ＩＣタグやアンテナとの設置方法は、接着剤による接着に限定されず、ＩＣタグやアンテナを構成する樹脂を収納ケースに融着させる方法等でも良い。また、シート状のＩＣタグやアンテナの裏面に粘着剤を塗布してシールとしておき、設置する際に貼着する方法を採用することも可能である。かかる方法を採用した場合には、ＩＣタグやアンテナの設置が非常に容易になる、というメリットがある。また、上記実施形態の如く、シート状のＩＣタグやアンテナを、裏面に粘着剤を塗布したシールとするとともに、粘着剤層の表面に剥離紙を貼着しておき、設置する際に剥離紙を剥離して貼着するようにすれば、ＩＣタグやアンテナの設置が非常に容易になる、というメリットがある。
【００４０】
一方、ＩＣタグやアンテナを自己破壊タイプのものとする方法は、上記実施形態の如きフレキシブルプリント基板の表面に積層する粘着剤層中に送受信回路を形成する方法に限定されず、剥離によって所定量以上の応力が加わると短絡するような回路をＩＣタグやアンテナに設ける（内蔵させる）方法等でも良い。なお、フレキシブルプリント基板の表面に積層する粘着剤層中に送受信回路を形成する方法によってＩＣタグやアンテナを自己破壊タイプのものとする場合には、ＩＣタグやアンテナの製造が安価で容易なものとなる、というメリットがある。また、フレキシブルプリント基板の表面に積層する粘着剤層中に送受信回路を形成する方法を採用する場合には、ＩＣタグやアンテナを構成するフレキシブルプリント基板や、収納ケースの材質に応じて、アンカーコートや粘着剤の種類を適宜変更することができる。
【００４１】
さらに、シート状のＩＣタグに覆われるアンテナや、シート状のアンテナに覆われるＩＣタグは、シート状のものに限定されず、各種の形状のものに変更することができる。
【００４２】
加えて、Ｒ／Ｗユニットは、制御装置の定期的な監視のみを行うものに限定されず、テンキー等の入力手段が設けられており、所定の入力をすることによって、任意のタイミングで制御装置の監視を行うことができるものに変更することも可能である。なお、Ｒ／Ｗユニットを、上記実施形態の如く、ごく短期間の周期の定期的な監視を行うものとした場合には、不正行為が行われた事態をリアルタイムで把握することができる、というメリットがある。また、Ｒ／Ｗユニットは、異常を検知した旨を不揮発性の記憶手段であるＥＥＰＲＯＭに記憶するものに限定されず、通常のＲＯＭ，ＲＡＭ、ハードディスク、光メディア等の記憶手段に記憶するもの等でも良い。さらに、Ｒ／Ｗユニットは、パチンコ機が設置される島設備から電源供給を受けるものに限定されず、パチンコ機から電源供給を受けるもの等でも良い。
【００４３】
収納ケースに貼着されるＩＣタグは、他のＩＣタグと識別するためのＩＤコードのみならずメーカーＩＤやホールＩＤ等の識別情報をも記憶させたものに変更することも可能である。さらに、ＩＣタグの反射波の出力範囲（通信距離）は、コイルの巻き数の変更等によって、適宜調整することが可能である。
【００４４】
加えて、上記実施形態においてはパチンコ機に用いられる制御装置について説明したが、本発明の制御装置が用いられる機器は、スロットマシーンやテレビゲーム等のパチンコ機以外の遊技機でも良いし、工作機械や産業用ロボット等の所定の動作を行う別の機器でも良い。
【００４５】
【発明の効果】
請求項１に記載された制御装置は、無線による所定の呼出波を受信すると記憶している固有の識別情報を含む反射波を無線により出力するＩＣタグが、前記分割式の収納ケースの少なくとも一つに取り付けられているとともに、そのＩＣタグに対して呼出波を送信しＩＣタグからの反射波を受信するシート状のアンテナが、前記分割式の収納ケースのすべてのパーツに跨がり前記ＩＣタグを覆った状態で貼着されており、剥離すると自己破壊を起こすため、収納ケースが不正に開放された場合には、ＩＣタグとアンテナとが送受信不能となり、不正に開放された事態を直ちに検知することができる。したがって、制御素子の不正取り替え、不正改造等の不正行為を、効果的に防止することができる。
【００４６】
請求項２に記載された制御装置は、無線による所定の呼出波を受信すると記憶している固有の識別情報を含む反射波を無線により所定範囲内に出力するシート状のＩＣタグが、前記分割式の収納ケースのすべてのパーツに跨がるように貼着されており、そのＩＣタグに対して呼出波を送信しＩＣタグからの反射波を受信するアンテナが、前記分割式の収納ケースの少なくとも一つに取り付けられているとともに、シート状のＩＣタグが、そのアンテナを覆っており、剥離すると自己破壊を起こすため、収納ケースが不正に開放された場合には、ＩＣタグとアンテナとが送受信不能となり、不正に開放された事態を直ちに検知することができる。したがって、制御素子の不正取り替え、不正改造等の不正行為を、効果的に防止することができる。
【００４７】
請求項３に記載された制御装置は、シート状のアンテナあるいはシート状のＩＣタグが、合成樹脂製のベースシート上に送受信回路をプリントしたものであり、収納ケースから剥離すると、送受信回路を切断させるため、アンテナあるいはＩＣタグが剥がされて収納ケースが不正に開放された場合には、ＩＣタグとアンテナとの送受信を確実に阻止するので、不正行為の防止機能の信頼性が高い。
【００４８】
請求項４に記載された遊技機は、請求項１〜３のいずれかに記載の制御装置を備えたものであるため、制御装置の収納ケースが不正に開放された場合には、ＩＣタグとアンテナとによって、直ちにその事態を検知することができるので、ＬＳＩ等の制御素子の不正取り替え、不正改造等の不正行為を、効果的に防止することができる。
【図面の簡単な説明】
【図１】実施例１の制御装置の正面図である。
【図２】実施例１の制御装置の左側面図である。
【図３】実施例１の制御装置の分解斜視図である。
【図４】ＩＣタグの正面図である。
【図５】ＩＣタグの制御機構を示す説明図である。
【図６】アンテナの正面図である。
【図７】収納ケースに貼着したアンテナの断面（図６におけるＢ−Ｂ線断面）を示す説明図である。
【図８】実施例１の制御装置を設置したパチンコ機の正面図である。
【図９】実施例１の制御装置を設置したパチンコ機の裏面図である。
【図１０】Ｒ／Ｗユニットの制御機構を示すブロック図である。
【図１１】パチンコ機の制御機構を示すブロック図である。
【図１２】アンテナを剥がす様子を示す説明図である。
【図１３】実施例２の制御装置の斜視図である。
【図１４】ＩＣタグの正面図である。
【図１５】収納ケースに貼着したＩＣタグの断面（図１４におけるＡ−Ａ線断面）を示す説明図である。
【図１６】ＩＣタグを剥がす様子を示す説明図である。
【符号の説明】
１ａ，１ｂ・・制御装置、２・・基板、３・・上ケース（第１ケース）、４・・下ケース（第２ケース）、２５・・ＬＳＩ、２６ａ，２６ｂ・・ＩＣタグ、２７・・フレキシブルプリント基板（ベースシート）、３１・・送受信回路、３２・・アンテナ、３４・・フレキシブルプリント基板（ベースシート）、３５・・送受信回路、３６・・パチンコ機、Ｃ・・収納ケース。
【図１】
2004174112.tif 000003
【図２】
2004174112.tif 000004
【図３】
2004174112.tif 000005
【図４】
2004174112.tif 000006
【図５】
2004174112.tif 000007
【図６】
2004174112.tif 000008
【図７】
2004174112.tif 000009
【図８】
2004174112.tif 000010
【図９】
2004174112.tif 000011
【図１０】
2004174112.tif 000012
【図１１】
2004174112.tif 000013
【図１２】
2004174112.tif 000014
【図１３】
2004174112.tif 000015
【図１４】
2004174112.tif 000016
【図１５】
2004174112.tif 000017
【図１６】
2004174112.tif 000018